(57)【要約】少なくとも一つの耐こじり装置を有する保護密閉箱。少なくとも一つの耐こじり装置は、扉パネルの少なくとも一つの側部で、許可されていない者による扉パネルのこじり開けを防止する。
2006520436.tif 000002
【特許請求の範囲】
【請求項１】
許可されていない者によるこじりがなされても保護密閉箱へ扉パネルを確実に取り付けられているようにする装置において、
複数のスロットと、
複数のタブをとを有し、複数のタブのそれぞれは、許可されていない者によって扉パネルの縁部がこじられたとき、複数の対応スロットと係合するように作動することを特徴とする装置。
【請求項２】
内部空間を形成する背壁パネル、底パネル、上壁パネルそして包囲側壁パネルを有するハウジング構造体であって、内部空間へのアクセスを可能とし開口前部を有する該ハウジング構造体と、
上記内部空間内に配され、複数の上部スロットが形成された上部水平防護部材と、
開口前部を遮るように配されて閉位置をなしハウジング構造体の内部空間を閉じるように操作可能な扉パネルであって、複数の上部タブを有し、該複数の上部タブのそれぞれが、扉パネルの上縁に下向きの力が作用したときに、対応せる複数の上部スロットに係合するようになる該扉パネルと、
側壁の一つに対して扉パネルを取り付けるヒンジ部材と、
を有することを特徴とする保護密閉箱。
【請求項３】
内部空間に配され複数の下部スロットを有する下部水平防護部材と、
複数の下部タブを有し、該複数の下部タブのそれぞれが、扉パネルの下縁に上向きの力が作用したとき、対応せる複数の下部スロットに係合するような該扉パネルと、
を有することとを特徴とする請求項２に記載の保護密閉箱。
【請求項４】
上部防護部材が側壁パネルに接続されていることとする請求項２に記載の保護密閉箱。
【請求項５】
下部防護部材が側壁パネルに接続されていることとする請求項３に記載の保護密閉箱。
【請求項６】
ハウジング構造体が自動金銭出納機として操作可能であることとする請求項２に記載の「保護密閉箱。
【請求項７】
許可されていない者によるこじりがなされても保護密閉箱へ扉を確実に取り付けられているようにする装置において、
複数のスロットが形成された水平防護部材であって、保護密閉箱の内部空間内に取り付けられた該水平防護部材と、
扉に接続あるいは一体形成された複数のタブであって、複数のタブのそれぞれが、扉が複数のタブの位置でこじられたとき、対応せる複数のスロットと係合するようになっている該タブと、
を有することを特徴とする装置。
【請求項８】
許可されていない者によるこじりがなされても保護密閉箱へ扉パネルを確実に取り付けられているようにする装置において、
複数のスロットであって、該複数のスロットのそれぞれが耐こじり部を有する該スロットと、
複数のフィンガであって、該複数のフィンガのそれぞれが、通常使用時に、対応せる複数のスロットと係合そして係合解除する該フィンガと、
を有し、
複数のフィンガの少なくとも一つが、扉パネルが許可されていない者によって複数のフィンガの位置でこじられたとき、少なくとも一つの対応耐こじりノッチ部に押し込まれるようになっていることを特徴とする装置。
【請求項９】
内部空間を形成する背壁パネル、底パネル、上壁パネルそして包囲側壁パネルを有するハウジング構造体であって、内部空間へのアクセスを可能とし開口前部を有する該ハウジング構造体と、
複数のスロットが形成された複数の側壁パネルの一つが有する内フランジであって、複数のスロットのそれぞれが耐こじりノッチ部を有する該内フランジと、
第一側部と第二側部とを有する扉パネルであって、開口前部を遮るように配されて閉位置をなしハウジング構造体の内部空間を閉じるように操作可能な該扉パネルと、
扉パネルの第一側部に可動に接続され複数のフィンガを有するロックバーと、
を有し、
ロックバーは、通常使用時に、扉パネルの第一側部で上下にスライド動して、複数のフィンガと対応する複数のスロットとを係合させそして係合解除するようになっており、
複数のフィンガの少なくとも一つが、扉パネルの第一側部に力が作用したとき、対応する少なくとも一つの耐こじりノッチ部に押し込まれるようになっており、
扉パネルの第二側部を他の側壁パネルに取り付けるヒンジ部材を有している、
ことを特徴とする保護密閉箱。
【請求項１０】
ハウジング構造体が自動金銭出納機として操作可能であることとする請求項９に記載の保護密閉箱。
【請求項１１】
許可されていない者によるこじりがなされても保護密閉箱へ、第一側部と第二側部を有する扉パネルを確実に取り付けられているようにする装置において、
複数のスロットが形成された複数の側壁パネルの一つが有する内フランジであって、複数のスロットのそれぞれが耐こじりノッチ部を有する該フランジと、
扉パネルの第一側部に可動に接続され複数のフィンガを有するロックバーと、
を有し、
ロックバーは、通常使用時に、扉パネルの第一側部で上下にスライド動して、複数のフィンガと対応する複数のスロットとを係合させそして係合解除するようになっており、
複数のフィンガの少なくとも一つが、扉パネルの第一側部に力が作用したとき、対応する少なくとも一つの耐こじりノッチ部に押し込まれるようになっている、
ことを特徴とする装置。
【請求項１２】
内部空間を形成する背壁パネル、底パネル、上壁パネルそして包囲側壁パネルを有するハウジング構造体であって、内部空間へのアクセスを可能とし開口前部を有する該ハウジング構造体と、
上記内部空間内に配され、複数の上部スロットが形成された上部水平防護部材と、
第一側部と第二側部、上縁と下縁とを有する扉パネルであって、開口前部を遮るように配されて閉位置をなしハウジング構造体の内部空間を閉じるように操作可能であり、複数の上部タブを有し、該複数の上部タブのそれぞれが、扉パネルの上縁に下向きの力が作用したときに、対応せる複数の上部スロットに係合するようになる該扉パネルと、
複数のスロットが形成された複数の側壁パネルの一つが有する内フランジであって、複数のスロットのそれぞれが耐こじりノッチ部を有する該内フランジと、
扉パネルの第一側部に可動に接続され複数のフィンガを有するロックバーと、
を有し、
ロックバーは、通常使用時に、扉パネルの第一側部で上下にスライド動して、複数のフィンガと対応する複数のスロットとを係合させそして係合解除するようになっており、
複数のフィンガの少なくとも一つが、扉パネルの第一側部に力が作用したとき、対応する少なくとも一つの耐こじりノッチ部に押し込まれるようになっており、
扉パネルの第二側部を他の側壁パネルに取り付けるヒンジ部材を有している、
ことを特徴とする保護密閉箱。
【発明の詳細な説明】
【技術分野】
【０００１】
本発明は保護密閉箱、さらに詳しくは、許可されていない者が扉をこじって開けることを防止する密閉箱に関する。
【背景技術】
【０００２】
金銭出納機のような密閉箱は、内部空間内に納められている高価な品を保護するために、公知文献で広く知られている。高価な品とは、現金、小切手、宝石等である。許可されていない者が、しばしば、密閉箱の扉を開けようとする。それ故に、密閉箱には、受動的なロック機構が用いられている。この受動ロック機構は、許可されていない者がこじり開けをしたときに、密閉箱が変形してしまうことを防止するように、鋼や他の材料での強度に依存している。
【特許文献１】発見できず
【発明の開示】
【発明が解決しようとする課題】
【０００３】
これらの密閉箱を形成する鋼や他の材料の厚みが増大すると、密閉箱は重くなり高価なものとなってしまう。
【０００４】
しかしながら、許可されていない者による扉パネルのこじり開け、したがって、内部空間へのアクセスを防止する、一つもしくはそれ以上の、能動的に作用する耐こじり装置をもつ密閉箱が求められている。
【課題を解決するための手段】
【０００５】
本発明は、許可されていない者によるこじりがなされても保護密閉箱へ扉パネルを確実に取り付けられているようにする装置を提供する。この装置は、複数のスロットと、複数のタブをとを有し、複数のタブのそれぞれは、許可されていない者によって扉パネルの縁部がこじられたとき、複数の対応スロットと係合するように作動する。
【０００６】
本発明は、また、保護密閉箱をも提供する。この保護密閉箱は、内部空間を形成する背壁パネル、底パネル、上壁パネルそして包囲側壁パネルを有するハウジング構造体であって、内部空間へのアクセスを可能とし開口前部を有する該ハウジング構造体と、上記内部空間内に配され、複数の上部スロットが形成された上部水平防護部材と、開口前部を遮るように配されて閉位置をなしハウジング構造体の内部空間を閉じるように操作可能な扉パネルであって、複数の上部タブを有し、該複数の上部タブのそれぞれが、扉パネルの上縁に下向きの力が作用したときに、対応せる複数の上部スロットに係合するようになる該扉パネルと、側壁の一つに対して扉パネルを取り付けるヒンジ部材と、を有している。
【０００７】
さらに、本発明は、許可されていない者によるこじりがなされても保護密閉箱へ扉を確実に取り付けられているようにする装置を提供する。この装置は、複数のスロットが形成された水平防護部材であって、保護密閉箱の内部空間内に取り付けられた該水平防護部材と、扉に接続あるいは一体形成された複数のタブであって、複数のタブのそれぞれが、扉が複数のタブの位置でこじられたとき、対応せる複数のスロットと係合するようになっている該タブと、を有している。
【０００８】
さらに、本発明は、許可されていない者によるこじりがなされても保護密閉箱へ扉パネルを確実に取り付けられているようにする装置を提供する。この装置は、複数のスロットであって、該複数のスロットのそれぞれが耐こじり部を有する該スロットと、複数のフィンガであって、該複数のフィンガのそれぞれが、通常使用時に、対応せる複数のスロットと係合そして係合解除する該フィンガと、を有し、複数のフィンガの少なくとも一つが、扉パネルが許可されていない者によって複数のフィンガの位置でこじられたとき、少なくとも一つの対応耐こじりノッチ部に押し込まれるようになっている。
【０００９】
これに加え、本発明は保護密閉箱を提供する。この保護密閉箱は、内部空間を形成する背壁パネル、底パネル、上壁パネルそして包囲側壁パネルを有するハウジング構造体であって、内部空間へのアクセスを可能とし開口前部を有する該ハウジング構造体と、複数のスロットが形成された複数の側壁パネルの一つが有する内フランジであって、複数のスロットのそれぞれが耐こじりノッチ部を有する該内フランジと、第一側部と第二側部とを有する扉パネルであって、開口前部を遮るように配されて閉位置をなしハウジング構造体の内部空間を閉じるように操作可能な該扉パネルと、扉パネルの第一側部に可動に接続され複数のフィンガを有するロックバーと、を有し、ロックバーは、通常使用時に、扉パネルの第一側部で上下にスライド動して、複数のフィンガと対応する複数のスロットとを係合させそして係合解除するようになっており、複数のフィンガの少なくとも一つが、扉パネルの第一側部に力が作用したとき、対応する少なくとも一つの耐こじりノッチ部に押し込まれるようになっており、扉パネルの第二側部を他の側壁パネルに取り付けるヒンジ部材を有している。
【００１０】
本発明は、また、許可されていない者によるこじりがなされても保護密閉箱へ、第一側部と第二側部を有する扉パネルを確実に取り付けられているようにする装置を提供する。この装置は、複数のスロットが形成された複数の側壁パネルの一つが有する内フランジであって、複数のスロットのそれぞれが耐こじりノッチ部を有する該フランジと、扉パネルの第一側部に可動に接続され複数のフィンガを有するロックバーと、を有し、ロックバーは、通常使用時に、扉パネルの第一側部で上下にスライド動して、複数のフィンガと対応する複数のスロットとを係合させそして係合解除するようになっており、複数のフィンガの少なくとも一つが、扉パネルの第一側部に力が作用したとき、対応する少なくとも一つの耐こじりノッチ部に押し込まれるようになっている。
【００１１】
さらに本発明は保護密閉箱を提供し、この保護密閉箱は、内部空間を形成する背壁パネル、底パネル、上壁パネルそして包囲側壁パネルを有するハウジング構造体であって、内部空間へのアクセスを可能とし開口前部を有する該ハウジング構造体と、上記内部空間内に配され、複数の上部スロットが形成された上部水平防護部材と、第一側部と第二側部、上縁と下縁とを有する扉パネルであって、開口前部を遮るように配されて閉位置をなしハウジング構造体の内部空間を閉じるように操作可能であり、複数の上部タブを有し、該複数の上部タブのそれぞれが、扉パネルの上縁に下向きの力が作用したときに、対応せる複数の上部スロットに係合するようになる該扉パネルと、複数のスロットが形成された複数の側壁パネルの一つが有する内フランジであって、複数のスロットのそれぞれが耐こじりノッチ部を有する該内フランジと、扉パネルの第一側部に可動に接続され複数のフィンガを有するロックバーと、を有し、ロックバーは、通常使用時に、扉パネルの第一側部で上下にスライド動して、複数のフィンガと対応する複数のスロットとを係合させそして係合解除するようになっており、複数のフィンガの少なくとも一つが、扉パネルの第一側部に力が作用したとき、対応する少なくとも一つの耐こじりノッチ部に押し込まれるようになっており、扉パネルの第二側部を他の側壁パネルに取り付けるヒンジ部材を有している。
【発明を実施するための最良の形態】
【００１２】
図１は本発明による保護密閉箱を示す図である。保護密閉箱１００は安全あるいは旋錠箱としてそして／あるいは自動金銭出納機（ＡＴＭ）そして類似機として用いられることができる。保護密閉箱１００は、例えばＡＴＭと一緒に内容物を自動的に操作できる。ここで示される保護密閉箱は、例えば、許可されていない者が、扉パネル１５０をこじ開けたりすることを防止するとことにより、該保護密閉箱１００内の内容物の安全を確保する。図１に示されている保護密閉箱の大きさや形、そして各構成物の寸法比等は、単なる図示のための例である。
【００１３】
保護密閉箱１００は、背壁パネル１１０、底パネル１１５、上パネル１９５そして側壁１０５ａ，１０５ｂを備えて内部空間を形成するハウジング構造体１９０を有している。図１に見られるように、ハウジング構造体１９０は、内部空間へのアクセスを許容する開放前部領域を有している。また、保護密閉箱１００は、ハウジング構造体１９０の内部空間を密閉するために、前部領域で閉位置にもたらされる扉パネル１５０をも有している。図１は、該扉パネル１５０を開位置にて図示している。扉パネル１５０はヒンジ部材１９５によりハウジング構造体１９０に回動自在に取り付けられている。ハウジング構造体１９０と扉パネル１５０は、特定の大きさそして形状には限定されない。
【００１４】
保護密閉箱１００は、扉パネル１５０の上部そして／あるいは下部さらにはハウジング構造体１９０に、耐こじり装置が設けられている。特に、保護密閉箱１００は、上部水平防護部材１４５と下部水平防護部材１４７とを有している。これに代えて、保護密閉箱１００は上部水平防護部材１４５と下部水平防護部材１４７のいずれかを有しているようにしてもよい。上部水平防護部材１４５と下部水平防護部材１４７は上パネル１９５と底パネル１１５へそれぞれ取り付けられるようにしたり、あるいは、上パネル１９５と底パネル１１５、そして上部水平防護部材１４５と下部水平防護部材１４７を、それぞれ一つの部材として構成することができる。
【００１５】
例示された形態では、上部水平防護部材１４５と下部水平防護部材１４７は、少なくとも一つのスロットを有している。例えば、図１では、上部水平防護部材１４５には五つのスロット１４０ａ…１４０ｅ、そして下部水平防護部材１４７にも五つのスロット１８５ａ…１８５ｅが形成されている。扉パネル１５０は、複数の対応上部タブ１３５ａ…１３５ｅそして複数の対応下部タブ１８０ａ…１８０ｅを有している。複数の上部タブ１３５ａ…１３５ｅのそれぞれそして複数の下部タブ１８０ａ…１８０ｅのそれぞれは、扉パネル１５０の上部そして底部がこじり具でこじられたときにのみ、対応せる上部スロット１４０ａ…１４０ｅのそれぞれそして対応せる下部スロット１８５ａ…１８５ｅのそれぞれと協働する。しかしながら、通常の作動時には、複数の上部タブ１３５ａ…１３５ｅと複数の下部タブ１８０ａ…１８０ｅは、対応せるスロットとは協働しない。上部水平防護部材１４５と下部水平防護部材１４７と同様に、複数の上部タブ１３５ａ…１３５ｅと複数の下部タブ１８０ａ…１８０ｅが扉パネル１５０に取り付けられ、あるいは扉パネル１５０と一体に形成されることができる。複数の上部スロット１４０ａ…１４０ｅと複数の下部スロット１８５ａ…１８５ｅ、そして対応せる上部タブ１３５ａ…１３５ｅそして対応せる下部タブ１８０ａ…１８０ｅの機能は、例えば、図２そして６を参照して、以下に説明される通りである。
【００１６】
本発明の変形実施形態では、ハウジング構造体１９０は複数の上部タブ１３５ａ…１３５ｅそして／あるいは複数の下部タブ１８０ａ…１８０ｅを有し、扉パネル１５０は複数の対応上部スロット１４０ａ…１４０ｅそして／あるいは複数の下部スロット１８５ａ…１８５ｅを有している。
【００１７】
さらに、耐こじり装置が保護密閉箱１００の少なくとも一方の側部に配されることができ、その結果、この耐こじり装置が、扉パネル１５０の少なくとも一つの側部での扉パネル１５０のこじり開けを防止する。したがって、この耐こじり装置は、扉パネル１５０の四つの側部のどこにおいても、こじり開けの防止のために、用いられることができる。
【００１８】
また、保護密閉箱１００は、側パネル１０５ａが扉パネル１５０と隣接する角部に耐こじり装置を配することもできる。保護密閉箱１００は、側パネル１０５ａの位置に内フランジ１２７を有している。この内フランジ１２７は複数のスロット１３０ａ…１３０ｅが形成され、この複数のスロット１３０ａ…１３０ｅのそれぞれは、図４に示される耐こじりノッチ部４０５を有している。内フランジ１２７は側パネル１０５ａに取り付けられ、あるいは側パネル１０５ａと一体的に形成される。
【００１９】
扉パネル１５０の側部にはロックバー１５５が取り付けられている。ロックバー１５５は複数のフィンガ１２０ａ…１２０ｅを有しており、複数のフィンガ１２０ａ…１２０ｅのそれぞれは対応する複数のスロット１３０ａ…１３０ｅのそれぞれと協働する。ロックバー１５５は、図８に見られるように、扉パネル１５０の側部に対して可動に接続されている。特に、ロックバー１５５は、通常の使用時では、ハウジング構造体１９０の内部空間内で側部に対して上下にスライド移動するように協働する。複数のスロット１３０ａ…１３０ｅと複数の対応フィンガ１２０ａ…１２０ｅの機能は、例えば、図３，４そして７を参照しつつ、以下に説明される。
【００２０】
本発明の変形実施形態においては、ハウジング構造体１９０は複数のフィンガ１２０ａ…１２０ｅを有し、扉パネル１５０に可動に取り付けられたロックバー１５５が複数のスロット１３０ａ…１３０ｅを有している。
【００２１】
さらに耐こじり装置は、ハウジング構造体１９０そして扉パネル１５０の上部、底部そして／あるいは他の側部に設けることができ、その結果、耐こじり装置は扉パネル１５０がこじり開けられることを防止する。したがって、耐こじり装置は、扉パネル１５０の四つの側部のどこにおいても、こじり開けを防止するように設けられることができる。
【００２２】
さらには、保護密閉箱は、扉パネル１５０が側部パネル１０５ａと隣接する角部に耐こじり装置を配設している。扉パネル１５０は複数のＬ状のスロット１６５ａ…１６５ｄが形成されたロックバー５０５を有している。ロックバー５０５は縦方向部材１７０に可動に取り付けられており、縦方向部材１７０はヒンジ部材１９５に隣接して扉パネル１５０の側部にしっかりと取り付けられている。ロックバー１０５は、ハウジング構造体１９０の内部空間内で上下にスライドできるようになっている。ハウジング構造体１９０は側壁パネル１０５ｂの前部が上記内部空間へ突入する複数のボルト１６０ａ…１６０ｄを有しており、複数のボルト１６０ａ…１６０ｄのそれぞれは複数のＬ状スロット１６５ａ…１６５ｄに沿ったものとなっている。複数のＬ状スロットと複数の対応ボルト１６０ａ…１６０ｄの機能は、例えば、図２そして５を参照しつつ以下説明される通りである。
【００２３】
ロックバー１５５とロックバー５０５はクロス部材１７５により互いに接続されており、ラッチノブ２０５が、図１，８そして９に見られるように、クロス部材１７５に接続されている。例示した形態では、ラッチノブ２０５の一部が扉パネル１０５を通して突出している。許可された者が、クロス部材１７５に接続されているラッチノブ２０５によって、ロックバー１５５とロックバー５０５をもち挙げることができる。さらには、扉のロック機構の動きがラッチノブ２０５により制御される。上述したように、ラッチノブ２０５は、クロス部材１７５を通して、スライドするロックバー１５５，５０５に取り付けられている。デッドボルトの組合せによるロックが、例えば、高強度ボルトを用いてロック組立プレート９９８に組み立てられている。扉パネル１５０のロックを解除するには、先ず、ロックバー１５５のデッドボルトスロット９９９からデッドボルトをスライドすることにより、デッドボルトの組合せによるロックが開けられる。それから、クロスバー１７５とロックバー１５５，５０５をもち上げることにより、ラッチノブ２０５がもち上げられる。上昇位置でのラッチノブ２０５で、扉パネル１０５は引いて開けられる。
【００２４】
ここで説明された能動的な耐こじり装置は、許可されていない者の操作によるいかなるこじり力にも対抗するように作用する。許可されていない者が扉パネル１５０をこじると、これは、扉パネル１５０の歪とハウジング構造体１９０の特徴部分とのインターロックにより、阻止される。能動的な耐こじり装置は、わずかなこじりに対してさえも、互いに協働するハウジング構造体１９０と扉パネル１５０との間の特徴部分でのインターロックを生ずることにより、扉パネル１５０が開くことを阻止する。
【００２５】
例示された形態において、保護密閉箱１００は、許可されていない者が扉パネル１５０をこじ開けようとすることを、扉パネル１５０の上部から底部までにおいて阻止する。例として、図２，３そして６は、扉パネル１５０が閉じられた位置にあるときの、複数の上部スロット１４０ａ…１４０ｅそして複数の下部スロット１８５ａ…１８５ｅと、複数の対応上部タブ１３５ａ…１３５ｅそして複数の下部タブ１８０ａ…１８０ｅとの間のそれぞれの相互作用を示している。図６は、複数のうちの一つの上部スロット１４０ｅと複数のうちの一つの対応タブ１３５ａとの間の作用を示している。例示された形態では、図６に見られるように、タブ１３５は扉パネル１５０に一体的に形成されている。これに代えて、複数の上部タブ１３５ａ…１３５ｅそして／あるいは複数の下部タブ１８０ａ…１８０ｅは、図示されない部材で係合されているようにすることができ、この部材は扉パネル１５０にしっかりと取り付けられる。各スロットと対応タブは同様であるので、ここでは一つのタブと対応すとが図示されている。
【００２６】
通常の使用時ででは、タブ１３５ａはスロット１４０ｅよりも距離ｘだけ上方に位置しているので、ラッチノブ２０５を用いてクロス部材１７５を上下して、必要に応じ扉パネル１５０が開閉される。距離ｘは特定した距離には限定されない。
【００２７】
タブ１３５ａは、図２そして６に示されるように、許可されていない者がこじり具を空間６１０に挿入して使用するときにのみ、スロット１４０ｅと協働する。図２は、複数の下部スロット１８５ａ…１８５ｅと複数の対応タブ１８０ａ…１８０ｅとの間の空間２１０を示している。特に、許可されていない者がタブ１３５ａの上方で、あるいはタブ１３５ａの近傍で、扉パネル１５０をこじ開けようとすると、少なくともタブ１３５ａが下方に押しやられてエルボ６０５と当接する。空間６１０におけるこじり具の位置によっては、一つもしくはそれ以上の他のタブが対応スロットと係合するようになる。エルボ６０５との当接そしてこじり具による力の継続的な印加の結果として、タブ１３５ａは下方に移動してスロット１４０ｅと係合する。あるいは、タブ１３５ａはスロット１４０ｅのすぐ上にあるときは、エルボ６０５は要らない。かくして、扉パネル１５０は、タブ１３５ａがスロット１４０ｅと係合するので、こじり開けられることはない。本発明として例示された形態においては、こじり開けようとする試みが一旦中止されると、タブ１３５ａは再びスロット１４０ｅの上部を通り、その結果、扉パネル１５０は、例えばラッチノブ２０５を用いて、正規の状態で開けられる。あるいは、たとえこじりの試みが中止された後でも、タブ１３５ａはスロット１４０ｅ内に留まる。
【００２８】
同様に、こじり具が空間６１０、あるいは空間２１０における他の位置に挿入されたときには、他の上部タブ１３５ａ…１３５ｅのうちの少なくとも一つ、あるいは他の下部タブ１８０ａ…１８０ｅのうちの少なくとも一つが上部スロット１４０ａ…１４０ｅそして下部スロット１８５ａ…１８５ｅの一つもしくはそれ以上とそれぞれ係合する。上述したように、こじり具の上方あるいは下方、あるいはこじり具の近傍でのタブがそれぞれスロットと係合する。
【００２９】
また、保護密閉箱１００は、許可されていない者がヒンジ部材１９５とは反対側で扉パネル１５０をこじ開けることを阻止する。この耐こじり装置は、例えば、図３，４そして７を参照して以下説明される。しかし、図４と７には、複数のフィンガ１２０ａ…１２０ｅのうちの一つのみ、すなわち、フィンガ１２０ｂ、そして複数のスロット１３０ａ…１３０ｅのうちの一つのみ、すなわち、対応スロット１３０ｂが示されている。他のフィンガ１２０ａ…１２０ｅのそれぞれ、そして対応スロット１３０ａ…１３０ｅのそれぞれは同様に作用し、したがって、ここでは説明しない。
【００３０】
通常の使用時では、複数のフィンガ１２０ａ…１２０ｅは、対応する複数のスロット１３０ａ…１３０ｅと係合そして解除してハウジング構造体１９０の内部空間への進入をそれぞれ阻止そして許容する。上記内部空間への進入を阻止するには、ロックバー１５５のフィンガ１２０ｂが、図７に示されるように、内フランジ１２７のスロット１３０ｂと係合する。係合すると、フィンガ１２０ｂの下部７１０がスロット１３０ｂの底部よりも低くなる。さらに、フィンガ１２０ｂのリップ７０５が、スロット１３０ｂの右側部分で、上記底部の上に位置する。図４は、耐こじりノッチ部４０５に隣接するスロット１３０ｂの右側部分で、底部に位置するフィンガ１２０ｂを図示している。したがって、扉パネル１５０は、スロット１３０ｂの底部よりも低く位置しているフィンガ１２０ｂの下部７１０によって、開かれることはない。
【００３１】
フィンガ１２０ａ…１２０ｅをもつロックバー１５５は、通常の使用時に、例えば、扉パネル１５０から一部分が突出しているラッチノブ２０５を用いることにより、ハウジング構造体１９０の内部空間内で上下にスライドするように操作できる。レベル２０５は、クロス部材１７５とここに取り付けられたロックバー１５５を上下させる操作、したがってフィンガ１２０ｂを上下させる操作が行なえる。ここで述べたように、ラッチノブ２０５は、クロス部材１７５により接続された二つのロックバーにより、ロックバー１５５と連係してロックバー５０５を上下動させるように操作される。
【００３２】
扉パネル１５０を開けるには、フィンガ１２０ｂが係合から解除されなければならない。特に、ラッチノブ２０５は操作可能で、クロス部材１７５はロックバー１５５を内部空間内で上方へもち上げる。フィンガ１２０ｂの下部７１０がスロット１３０ｂの底部を通ると、扉パネル１５０は許可を得た者によって開けられる。逆に、扉パネル１５０を閉じるには、フィンガ１２０ｂが上昇位置にある状態で、扉パネルは閉じられてフィンガ１２０ｂがスロット１３０ｂの中へ挿入される。しかる後、レベル２０５が操作されてフィンガ１２０ｂとスロット１３０ｂが係合するようにフィンガ１２０ｂを降下させる。フィンガ１２０ｂのリップ７０５は、スロット１３０ｂの右側部で、底部にある。結果として、扉パネル１５０はしっかり閉められる。
【００３３】
フィンガ１２０ｂを含めた耐こじり装置は、許可を得ていない者が扉パネル１５０をその側部でこじり開けようとするとき、次のように作用する。許可されていない者は、扉パネル１５０の側部と側パネル１５０ａとの間の空隙１００５にこじり具を挿入する。空隙１００５、そして空隙２１０，６１０，１０１０は図１０と１１に示されている。こじり具が用いられると、複数のフィンガ１２０ａ…１２０ｅが、こじり工具の力によって、対応せる耐こじりノッチ部４０５に押し込められる。例えば、フィンガ１２０ｂは、図４ｂに図示されるように、スロット１３０ｂの耐こじりノッチ部４０５に押し込まれる。図４ａ，４ｂそして７に見られるように、耐こじりノッチ部４０５の長さ（ａ＋ｂ）はフィンガ１２０ｂの長さ（ａ）よりも長さ（ｂ）だけ大きい。長さ（ｂ）はフィンガ１２０ｂの長さ（ｃ）よりも小さい。あるいは、耐こじりノッチ部４０５の長さはフィンガ１２０ｂの長さ（ａ）と同じである。これらの寸法関係により、フィンガ１２０ｂはスロット１３０ｂからの係合解除がなされず、フィンガ１２０ｂは耐こじりノッチ部４０５に留まる。特にフィンガ１２０ｂの下部７１０はスロット１３０ｂの底部を通れない。例示の形態では、こじりが止められると、フィンガ１２０ｂはスロット１３０ｂの右部で底部に戻り、その結果、扉パネル１５０は、上述のごとく、通常の操作により開かれる。あるいは、こじりが止められると、フィンガ１２０ｂは耐こじりノッチ部４０５に留まる。
【００３４】
同様に、許可されない者がヒンジ部材１９５と反対側の扉パネル１５０の側部での他の位置をこじり工具で開けようとすると、複数の他のフィンガ１３０ａ…１３０ｂのうちの少なくとも一つが他のスロット１３０ａ…１３０ｅの対応する耐こじりノッチ部４０５に押し込まれる。
【００３５】
保護密閉箱１００は、また、許可されていない者が扉パネル１５０をそのヒンジの側で開けることをも防止する。扉パネル１５０はＬ状スロットを少なくとも一つ形成されたロックバー５０５を有する。例えば、扉パネル１５０の側部には、本願で図示そして説明されている場合、四つのＬ状スロット１６５ａ…１６５ｄが形成されている。ロックバー５０５は、扉パネル１５０にしっかりと取付けられている縦部材１７０に可動に取り付けられている。ロックバー５０５は、二つのロックバー５０５，１５５を対とせしめるクロスバー１７５により、ロックバー１５５と連係して、ハウジング構造体１９０の内部空間内で上下スライド動するように操作可能である。ハウジング構造体１９０は側壁パネル１０５ｂの前部から上記内部空間内へ突入する複数のボルト１６０ａ…１６０ｄを有し、複数のボルト１６０ａ…１６０ｄのそれぞれは、扉パネル１５０と関連する複数のＬ状スロット１６５ａ…１６５ｄに対応している。複数のＬ状スロット１６５ａ…１６５ｄと対応する複数のボルト１６０ａ…１６０ｄの機能は、各スロットと対応ボルトは同じ動作をするので、ここでは、一つのスロット１６５ｃと対応ボルト１６０ｃについてのみ説明する。
【００３６】
図１に見られるように、ボルト１６０ｃはハウジング構造体１９０の内部空間内に突入している。例示の形態では、ボルト１６０ｃは頭部５１０と、上記内部空間内へ突入する軸部５１５とを有している。内部空間内へ突入するボルト１６０ｃの部分は図５ｂに示されている。本願で図示そして説明されているボルトの大きさ、形、形式は単なる一例である。ボルト１６０ｃは可動ロックバー５０５に形成されたＬ状スロット１６５ｃと係合する。
【００３７】
扉パネル１５０が当初開位置にあって、許可された者がこの扉パネル１５０を閉めたいときには、ラッチノブ２０５が操作されて、ロックバー５０５，１５０がすでに正規位置にないとして、クロス部材１７５がロックバー５０５とロックバー１５０とをもち上げる。ロックバー５０５が上昇する結果、スロット１６５ｃも上昇し、ボルト１６０ｃがＬ状スロット１６５ｃの水平部分と一致する。図５ａは、例えば、Ｌ状スロット１６５ｃを図示していて、特に、Ｌ状スロット１６５ｃの水平部分が上方縦部分よりも幅が広くなっていることを示している。許可された者が、その後、扉パネル１５０を閉めると、ボルト１６０ｃの頭部５１０がスロット１６５ｃを通る。特に、扉パネル１５０が閉じられているが未だロックされていないというときは、例えば、頭部５１０はスロット１６５ｃの水平部分の左側に在る。図５ｂに示されているように、頭部５１０の全体がロックバー５０５を通る。頭部５１０の背部とロックバー５０５との間の距離は、特定値に限定されず、この距離はゼロよりも大きくも等しくもすることもできる。
【００３８】
扉パネル１５０をロックするには、ラッチノブ２０５が操作されて、クロス部材１７５がロックバー５０５とロックバー１５５を下げる。ロックバー５０５の降下の結果として、スロット１６５ｃも降下し、ボルト１６０ｃの軸部５１５がＬ状スロット１６５ｃの狭い上方縦部にスライドして入る。ボルト１６０ｃがＬ状スロット１６５ｃの狭い上方縦部に留まると、扉パネル１５０は、頭部５１０の背部がロックバー５０５と接触するので、開けられなくなる。したがって、許可されていない者が、例えば、図１１に示されるようにこじり具をスペース１０１０で用いても、扉パネル１５０をその側パネル１５０ｂにて開けることはできない。
【００３９】
複数のＬ状スロット１６５ａ…１６５ｄの形状そして大きさは単なる例示である。例えば、縦部分は、逆Ｌ状に似た水平部分の右側部分に位置させることも可能である。さらには、狭い部分があればＬ状以外の形も可能である。スロットの形そして位置によって、ボルトは、図示と同じ位置あるいは異なる位置とすることができ、ボルトは対応スロットと係合する。
【００４０】
図８と９は、本発明の保護密閉箱の扉パネル１５０についての分離状態での斜視図である。図８そして９においては、ラッチノブ２０５、クロス部材１７５、ロックバー１５５，５０５、縦部材１７０、複数のスロット１３５ａ…１３５ｅ，１８０ａ…１８０ｅ、そして複数のフィンガ１２０ａ…１２０ｅの間の接続関係そして作用が理解できる。
【００４１】
本発明の他の実施形態においては、ラッチノブ２０５は、ハウジング構造体１９０から扉パネル１５０を係合解除するために、ロックバー５０５とロックバー１５５を下げるように操作可能であり、そして、ハウジング構造体１９０に対して扉パネル１５０を係合させるためにロックバー５０５とロックバー１５５を上げるように操作可能である。結果として、複数のフィンガ１２０ａ…１２０ｅと複数の対応スロット１３０ａ…１３０ｅ、複数のボルト１６０ａ…１６０ｅとＬ状の複数のスロット１６５ａ…１６５ｅの位置づけは、本発明の図面を１８０°回転したものとなる。しかし、耐こじり装置は、上述したものと同じく機能する。
【００４２】
既述した実施形態は本発明の図示のための例であり、本発明がこれらの特殊な例に限定されると解釈されてはならない。種々の変更そして変形が、請求の範囲に記載された本発明の範囲から逸脱することなく、当業者により成し得る。
【図面の簡単な説明】
【００４３】
【図１】本発明による保護密閉箱の具体例を示す図である。
【図２】図１の保護密閉箱の断面図である。
【図３】図１の保護密閉箱の他の断面図である。
【図４ａ】通常使用時における内フランジとスロットの具体例を示す断面図である。
【図４ｂ】こじり時における内フランジとスロットの具体例を示す断面図である。
【図５ａ】本発明によるロックバーとＬ状スロットの具体例を示す断面図である。
【図５ｂ】本発明によるボルトの具体例を示す図である。
【図６】本発明による水平部材とタブの具体例を示す断面図である。
【図７】内フランジとフィンガを有するロックバーとの具体例を示す断面図である。
【図８】図１の保護密閉箱の扉パネルの具体例を示す斜視図である。
【図９】図１の保護密閉箱の扉パネルの具体例を示す他の斜視図である。
【図１０】扉パネルとハウジング構造体の間のスペースの具体例を示す図である。
【図１１】扉パネルとハウジング構造体の間の追加的スペースの具体例を示す図である。
【図１】
2006520436.tif 000003
【図２】
2006520436.tif 000004
【図３】
2006520436.tif 000005
2006520436.tif 000006
2006520436.tif 000007
2006520436.tif 000008
【図６】
2006520436.tif 000009
【図７】
2006520436.tif 000010
【図８】
2006520436.tif 000011
【図９】
2006520436.tif 000012
【図１０】
2006520436.tif 000013
【図１１】
2006520436.tif 000014
【国際調査報告】
2006520436.tif 000015